(57)【特許請求の範囲】
【請求項１】
遊技球が流下する遊技盤と、当該遊技盤の表面を流下した遊技球が入賞する入賞装置と、前記遊技盤の下部に設けられ、前記入賞装置を取り付ける開口部とを備える遊技機の前記入賞装置の取り付け方法であって、
前記遊技盤の表面に当接する取付基板と、当該取付基板の表面に設けた入賞開口と、他の装飾部材あるいは他の入賞装置の少なくとも一部と係合する係合部とを備えた入賞装置の後部を前記遊技盤の前記開口部に挿入し、
前記入賞装置の後部が前記遊技盤の前記開口部に挿入された後に、前記入賞装置の前記係合部に前記他の装飾部材あるいは前記他の入賞装置の少なくとも一部を係合させ、
前記他の装飾部材あるいは前記他の入賞装置のみを前記遊技盤にねじ止めし、
前記遊技盤の表面に取り付けられた前記他の装飾部材あるいは前記他の入賞装置により前記入賞装置が保持されて、前記遊技盤の表面に固定されることを特徴とする遊技機の入賞装置の取り付け方法。
【発明の詳細な説明】
【０００１】
【発明の属する技術分野】
本発明は、遊技機の入賞装置の取り付け方法に関し、詳細には遊技機の遊技盤の表面に配設され、遊技球が入賞する入賞装置を備えた遊技機の入賞装置の取り付け方法に関する。
【０００２】
【従来の技術】
従来の遊技機、例えばパチンコ機では、遊技球が流下する遊技盤の遊技領域には、複数の入賞装置を設置しているが、遊技領域には、中央に表示装置が設置されており、また、遊技釘も複雑に配置されているので、入賞装置の設置位置が限られるため、複数の入賞装置をその限られた箇所に集約して設置する必要がある。そして、集約して入賞装置を配置する方法として、一枚の取付基板に複数の入賞口を設ける方法や入賞装置を近接して配置する方法がある。また、入賞装置には、入賞口に開閉扉を設けた可動式の入賞装置が知られている。
【０００３】
【発明が解決しようとする課題】
しかしながら、上記の可動式の入賞装置では、故障、部品の摩耗等によって、あるいは、汚れ等によって入賞装置を交換しなくてはならないことがあり、一枚の取付基板に装飾部材や複数の入賞口を設けた場合では、交換する必要の無い個所をも一緒に交換しなければならず、不経済、且つ、廃棄物も増えるという問題点がある。
【０００４】
また、異なる遊技機に同じ入賞装置を用いる場合、可動式の入賞装置の機能等はそのままに、装飾部材等のデザインを異ならせた入賞装置としたい場合は、全体の金型を形成しなくてはならないという問題点がある。さらに、複数の入賞装置を近接配置する場合には、遊技盤には背景画が描かれているが、入賞装置を近接配置したときに各入賞装置の間から背景画の一部のみが露わになり、背景画および各入賞装置に一体感が無く美観を損ねてしまうという問題点がある。
【０００５】
本発明は、上記課題を解決するためになされたものであり、他の装飾部材あるいは他の入賞装置とは別体に交換可能であって、遊技盤の表面に固定した時には、他の装飾部材あるいは他の入賞装置と一体として、遊技盤の表面に固定可能な入賞装置が設けられた遊技機の入賞装置の取り付け方法を提供することを目的とする。
【０００６】
【課題を解決するための手段】
上記課題を解決するため、請求項１に係る発明の遊技機の入賞装置の取り付け方法では、遊技球が流下する遊技盤と、当該遊技盤の表面を流下した遊技球が入賞する入賞装置と、前記遊技盤の下部に設けられ、前記入賞装置を取り付ける開口部とを備える遊技機の前記入賞装置の取り付け方法であって、前記遊技盤の表面に当接する取付基板と、当該取付基板の表面に設けた入賞開口と、他の装飾部材あるいは他の入賞装置の少なくとも一部と係合する係合部とを備えた入賞装置の後部を前記遊技盤の前記開口部に挿入し、前記入賞装置の後部が前記遊技盤の前記開口部に挿入された後に、前記入賞装置の前記係合部に前記他の装飾部材あるいは前記他の入賞装置の少なくとも一部を係合させ、前記他の装飾部材あるいは前記他の入賞装置のみを前記遊技盤にねじ止めし、前記遊技盤の表面に取り付けられた前記他の装飾部材あるいは前記他の入賞装置により前記入賞装置が保持されて、前記遊技盤の表面に固定されることを特徴とする。
【０００７】
【０００８】
【０００９】
【００１０】
【００１１】
【００１２】
【００１３】
【００１４】
【００１５】
【００１６】
【発明の実施の形態】
以下、本発明の一実施の形態について図面を参照して説明する。まず、本発明の第１の実施の形態のパチンコ機１の機械的構成について図面を参照して説明する。図１はパチンコ機１の正面図である。図１に示すように、パチンコ機１の正面の上半分の部分には、略正方形の遊技盤２が設けられ、遊技盤２には、後述するガイドレール３で囲まれた略円形の遊技領域４が設けられている。パチンコ機１の遊技盤２の下方部には、図示外の発射機に遊技球を供給し、且つ賞品球を受ける上皿５が設けられ、上皿５の直下には、賞品球を受ける下皿６が設けられ、下皿６の右横には発射ハンドル７が、下皿６の上にはスピーカー２７が設けられている。
【００１７】
次に、遊技盤２の機械的構造について図２及び図３を参照して説明する。図２及び図３は、パチンコ機１の遊技盤２の正面図である。遊技盤２には、ステンレス製帯板から構成されたガイドレール３を渦巻き状に配置して、当該ガイドレール３に囲まれた略円形の遊技領域４が設けられている。遊技領域４の略中央には、液晶表示装置２８を備えた特別図柄表示装置８が設けられている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。
【００１８】
また、特別図柄表示装置８の下側には、特別図柄始動電動役物１５が設けられており、その特別図柄始動電動役物１５の下方には、開閉扉１６０を備えた所謂大入賞口である入賞装置１６が設けられている。また、入賞装置１６の右側には、入賞装置１６とは別体の普通入賞口３５０を備えた入賞装置３５が設けられ、入賞装置１６の左側には、入賞装置１６とは別体の普通入賞口３６０を備えた入賞装置３６が設けられ、入賞装置１６の下部には、入賞しなかった遊技球を回収するアウト口３７が設けられている。
【００１９】
さらに、普通図柄始動ゲート１１の下方には、風車３１が設けられ、風車３１の下方には普通入賞口１９が設けられている。また、普通図柄始動ゲート１２の下方には、風車３２が設けられ、風車３２の下方には普通入賞口２０が設けられている。さらに、特別図柄表示装置８の下部には遊技球を暫時載置可能にステージ２１が水平に設けられ、ステージ２１に飛び乗った遊技球は、ステージ２１の直下に設けられている特別図柄始動電動役物１５に向かって落下するようになっている。また、特別図柄表示装置８の上部には、普通図柄表示装置２４が設けられており、１桁の数字や１文字のアルファベット等の図柄を表示できるようになっている。さらに、特別図柄表示装置８の右下には風車３３が設けられ、特別図柄表示装置８の左下には風車３４が設けられている。
【００２０】
さらに、遊技盤２上の遊技領域４の右端部には、ガイドレール３の内面に沿うように遊技部材４０が図示外の木ねじにより固定され、また、遊技盤２上の遊技領域４の左端部には、ガイドレール３の内面に沿うように遊技部材５０が図示外の木ねじにより固定されている。尚、遊技部材５０は、遊技部材４０と左右対称の構造となっている。さらに、遊技盤２上には、上記以外に、種々の電飾ランプ、その他のＬＥＤ、及び多数の障害釘等が設けられている。
【００２１】
次に、図３を参照して、入賞装置１６と、入賞装置３５と、入賞装置３６とを遊技盤２に取り付けるために、遊技盤２の下部に設けた取付孔３８について説明する。図３に示すように、遊技盤２の下部には、入賞装置１６と、入賞装置３５と、入賞装置３６とを取り付けるための取付孔３８が形成されている。取付孔３８は、横長に略長方形に形成され、上辺及び下辺が左右端部に向けて、やや絞り込まれている。この取付孔３８の横方向（長手方向）の長さは、入賞装置１６よりは長く形成され、且つ、図２に示すように、入賞装置１６と入賞装置３５と入賞装置３６とを横方向に一体に組み合わせたものの横方向の長さよりも短く形成されている。また、取付孔３８の縦方向（長手と直交する方向）の長さは、入賞装置１６と入賞装置３５と入賞装置３６の表面側の幅より短く形成されている。従って、入賞装置１６と入賞装置３５と入賞装置３６とを遊技盤２に固定したときには、取付孔３８は、入賞装置１６、入賞装置３５、及び入賞装置３６に隠れて、遊技盤２の表面側からは視認できないようになっている。
【００２２】
次に、図４乃至図９を参照して、入賞装置１６、入賞装置３５、及び入賞装置３６の構造について説明する。図４は、入賞装置１６と入賞装置３５と入賞装置３６とを一体に組み合わせた状態の正面図であり、また、図５及び図６は、入賞装置１６と入賞装置３５と入賞装置３６とを分離した状態を示す正面図であり、また、図７は、入賞装置１６と入賞装置３５と入賞装置３６とを分離した状態を示す背面図であり、図８は、入賞装置１６と入賞装置３５と入賞装置３６とを一体に組み合わせた状態の背面図であり、図９は、アクチュエータの変形例を示す背面図である。
【００２３】
図４及び図５に示すように、入賞装置１６には、遊技盤２（図２参照）の表面に当接する取付基板１６１が設けられている。この取付基板１６１は、中央部の上下の幅が、両端部の上下の幅より細くなった略鼓型に形成された所定厚み（例えば、３ｍｍ）の樹脂製の板から構成され、端部は斜めに面取りされて、表面は金色に鍍金されている。また、取付基板１６１の中央部には、横方向に長い略長方形の開閉蓋１６０が設けられ、開閉蓋１６０は、下端部が水平方向に軸支されて、後述するアクチュエータ１７１，１８０（図７、図９参照）により開閉可能に構成されている。さらに、図４及び図５に示すように、取付基板１６１の四隅には、ねじ孔１６２，１６３，１６４，１６５が各々設けられている。入賞装置１６は、ねじ孔１６２，１６３，１６４，１６５に各々木ねじが貫通されて遊技盤２上に固定されるようになっている。
【００２４】
次に、図４及び図５を参照して、入賞装置３５及び入賞装置３６について、説明する。図５に示すように、入賞装置３５及び入賞装置３６は、入賞装置１６とは別体に構成されている。そして、図４に示すように、入賞装置３５は、入賞装置１６の右端部に係合して、遊技盤２上に固定され、入賞装置３６は、入賞装置１６の左端部に係合して、遊技盤２上に固定されるようになっている。
【００２５】
また、入賞装置３５には、取付基板３５１が設けられ、この取付基板３５１は、所定厚み（例えば、３ｍｍ）の樹脂製の板から構成され、上端部は斜めに面取りされて、表面は金色に鍍金されている。また、取付基板３５１の上端部には、普通入賞口３５０が上部に開口した入賞球受３５２が取付基板３５１の表面から垂直に凸設されている。そして、取付基板３５１の上部左端には、ねじ孔３５３が設けられ、取付基板３５１の下部右端には、ねじ孔３５４が設けられ、取付基板３５１の下部左端からやや斜め右上部には、ねじ孔３５５が設けられている。入賞装置３５は、ねじ孔３５３〜３５５に、各々木ねじが貫通されて遊技盤２上に固定されるようになっている。また、取付基板３５１の左端部は、上下方向に直線状に形成されており、入賞装置１６の取付基板１６１の右端部と密着するよう形成されている。
【００２６】
また、入賞装置３６には、取付基板３６１が設けられ、この取付基板３６１も、所定厚み（例えば、３ｍｍ）の樹脂製の板から構成され、上端部は斜めに面取りされて、表面は金色に鍍金されている。また、取付基板３６１の上端部には、普通入賞口３６０が上部に開口した入賞球受３６２が取付基板３６１の表面から垂直に凸設されている。そして、取付基板３６１の上部右端には、ねじ孔３６３が設けられ、取付基板３６１の下部左端には、ねじ孔３６４が設けられ、取付基板３６１の下部右端からやや斜め左上部には、ねじ孔３６５が設けられている。入賞装置３６は、ねじ孔３６３〜３６５に、各々木ねじが貫通されて遊技盤２上に固定される。また、取付基板３６１の右端部は、上下方向に直線状に形成されており、入賞装置１６の取付基板１６１の左端部と密着するよう形成されている。
【００２７】
次に、図５及び図６を参照して、入賞装置１６の取付基板１６１の右端部及び左端部の構造について説明する。図５及び図６に示すように、入賞装置１６の取付基板１６１の右端部には、入賞装置３５の取付基板３５１の左端部に係合するための係合突起１６８が設けられている。この係合突起１６８は、取付基板１６１の右端部から一定幅突出した板状に形成された樹脂板で、その表面は取付基板１６１より一段低くなっており、係合突起１６８上には、蒲鉾形状に形成され、横方向に延設された凸部１６８ａ，１６８ｂが各々一定間隔を隔てて形成されている。また、取付基板１６１の右端部には、後述する入賞装置３５の取付基板３５１の縁部３５６が係合する段部１７０が設けられている。この段部１７０は、取付基板１６１の表面より一段低くなっており、上下方向に一定の幅で形成されている。
【００２８】
また、図５及び図６に示すように、入賞装置１６の取付基板１６１の左端部には、入賞装置３６の取付基板３６１の右端部に係合するための係合突起１６７が設けられている。この係合突起１６７は、取付基板１６１の左端部から一定幅突出した板状に形成された樹脂板で、その表面は取付基板１６１より一段低くなっており、係合突起１６７上には、蒲鉾形状に形成され、横方向に延設された凸部１６７ａ、１６７ｂが各々一定間隔を隔てて形成されている。また、取付基板１６１の左端部には、後述する入賞装置３６の取付基板３６１の縁部３６６が係合する段部１６９が設けられている。この段部１６９は、取付基板１６１の表面より一段低くなっており、上下方向に一定の幅で形成されている。
【００２９】
次に、図６及び図７を参照して、入賞装置３５及び入賞装置３６の入賞装置１６の取付基板１６１との係合部の構造について説明する。図６及び図７に示すように、入賞装置３５の取付基板３５１の左端部には、前記段部１７０に係合する縁部３５６が設けられ、また、取付基板３５１の左端部背面（図７では、取付基板３５１の右端表面）には、前記凸部１６８ａ，１６８ｂに各々嵌合する凹部３５７，３５８が設けられている。また、入賞装置３６の取付基板３６１の右端部には、前記段部１６９に係合する縁部３６６が設けられ、また、取付基板３６１の右端部背面（図７では、取付基板３６１の左端表面）には、前記凸部１６７ａ，１６７ｂに各々嵌合する凹部３６７，３６８が設けられている。
【００３０】
また、図７及び図８に示すように、入賞装置３５の取付基板３５１の上部背面には、普通入賞口３５０から入賞した遊技球を案内する断面略半円形状の遊技球通路３５２ａが取付基板３５１の背面から垂直に凸設され、遊技球通路３５２ａ内には、遊技球を取付基板３５１の背面方向に案内するために傾斜を有した遊技球案内部材３５２ｂとが設けられている。
【００３１】
また、図７及び図８に示すように、入賞装置３６の取付基板３６１の上部背面には、普通入賞口３６０から入賞した遊技球を案内する断面略半円形状の遊技球通路３６２ａが取付基板３６１の背面から垂直に凸設され、遊技球通路３６２ａ内には、遊技球を取付基板３６１の背面方向に案内するために傾斜を有した遊技球案内部材３６２ｂとが設けられている。
【００３２】
また、図７及び図８に示すように、入賞装置１６の取付基板１６１の背面には、開閉扉１６０（図６参照）の開閉動作を行うアクチュエータ１７１が取り付けられている。尚、図９に示すように、入賞装置１６の取付基板１６１の背面には、アクチュエータ１７１に替えて、取付基板１６１より横方向にはみ出す大型のアクチュエータ１８０を設けてもよい。
【００３３】
上記のように構成された入賞装置１６、入賞装置３５、及び入賞装置３６の遊技盤２への取り付けについて、図１０乃至図１２を参照して説明する。図１０乃至図１２は、入賞装置１６、入賞装置３５、及び入賞装置３６の遊技盤２への取り付けを示した正面図である。
【００３４】
図１０に示すように、遊技盤２の取付孔３８に入賞装置１６を固定する。この場合に、取付孔３８に入賞装置１６の後端部を挿入して、取付基板１６１の四隅のねじ孔１６２乃至１６５に、各々木ねじを貫通させて、遊技盤２上に固定する。このときに、取付孔３８の横幅は、入賞装置１６の横幅に比べてかなり長いので、図９に示すような大型のアクチュエータ１８０を備えた入賞装置１６でも容易に取り付けることができる。
【００３５】
次に、図１１に示すように、遊技盤２の取付孔３８に入賞装置３６を固定する。具体的には、入賞装置３６は、ねじ孔３６３〜３６５に、各々木ねじが貫通されて遊技盤２上に固定される。このときに、入賞装置３６の取付基板３６１の右端部の縁部３６６は、入賞装置１６の取付基板１６１の段部１６９に係合され、また、取付基板３６１の右端部背面に設けられている凹部３６７，３６８が、係合突起１６７の凸部１６７ａ，１６７ｂに各々嵌合するので、入賞装置１６と、入賞装置３６とが密着して位置ずれ等を生じることなく固定される。
【００３６】
次に、図１２に示すように、遊技盤２の取付孔３８に入賞装置３５を固定する。具体的には、入賞装置３５は、ねじ孔３５３〜３５５に、各々木ねじが貫通されて遊技盤２上に固定される。このときに、入賞装置３５の取付基板３５１の左端部の縁部３５６は、入賞装置１６の取付基板１６１の段部１７０に係合され、また、取付基板３５１の左端部背面に設けられている凹部３５７，３５８が、係合突起１６８の凸部１６８ａ，１６８ｂに各々嵌合するので、入賞装置１６と、入賞装置３５とが密着して位置ずれ等を生じることなく固定される。
【００３７】
次に、図１３を参照して、入賞装置１６及び入賞装置３６の断面の構造について説明する。図１３は、図４に示すＡ−Ａ’線における矢視方向の部分断面図である。図１３に示すように、入賞装置１６の係合突起１６７は、入賞装置３６の取付基板３６１に設けられている縁部３６６により、図１３に示す矢印Ｂ方向（図１３に図示外の遊技盤２の裏面方向）に押圧されている。尚、図１３には図示しないが、入賞装置１６の係合突起１６８も、入賞装置３５の取付基板３５１に設けられている縁部３５６により、図１３に示す矢印Ｂ方向（図１３に図示外の遊技盤２の裏面方向）に押圧されている。従って、入賞装置１６は、ねじ止めに加えて、入賞装置３５及び入賞装置３６の押圧力により確実に遊技盤２の表面に固定される。
【００３８】
以上説明したように、本実施の形態のパチンコ機１では、取付孔３８に各々別体に構成された入賞装置１６と、入賞装置３５と、入賞装置３６を取り付けているので、開閉扉１６０を備えた入賞装置１６が故障した場合にも、入賞装置１６のみの交換をすることで、機能を回復できる。また、入賞装置１６と、入賞装置３５と、入賞装置３６とが各々別体に構成されているので、入賞装置１６に、入賞装置３５及び入賞装置３６とはデザインの異なる入賞装置や装飾部材を組み合わせることによって、他の機種への転用も可能となる。また、入賞装置３５及び入賞装置３６に、入賞装置１６とはデザインの異なる入賞装置を組み合わせることによっても、他の機種への転用も可能となる。
【００３９】
次に、第２の実施の形態について、図１４乃至図１６を参照して説明する。図１４は、第２の実施の形態の入賞装置１６の正面図であり、図１５は、第２の実施の形態の入賞装置１６を遊技盤２へ載置した状態を示す正面図であり、図１６は、第２の実施の形態の入賞装置１６、入賞装置３５及び入賞装置３６を遊技盤２へ固定した状態を示す正面図である。第２の実施の形態では、第１の実施の形態と同じ部材には、同じ符号を付しており、構造が同じ部分の説明は、第１の実施の形態の説明を援用して、説明を省略する。
【００４０】
第２の実施の形態の入賞装置１６は、図１４に示すように、取付基板１６１に、第１の実施の形態で設けられているねじ孔１６２，１６３，１６４，１６５が設けられていない。そして、入賞装置１６は、図１６に示すように、遊技盤２の表面に、入賞装置３５及び入賞装置３６により、保持されて固定されることになる。
【００４１】
以下、入賞装置１６、入賞装置３５及び入賞装置３６の遊技盤２への取り付けを説明する。まず、図１５に示すように、遊技盤２の取付孔３８に入賞装置１６の後部を挿入する。次いで、取付孔３８対して、入賞装置１６の位置合わせをする。そして、図１４に示す入賞装置３６の取付基板３６１の縁部３６６を、入賞装置１６の取付基板１６１の段部１６９に係合させ、また、取付基板３６１の右端部背面に設けられている凹部３６７、３６８を、係合突起１６７の凸部１６７ａ、１６７ｂに各々嵌合させて、入賞装置１６と、入賞装置３６とを密着させる。その後、入賞装置３６のねじ孔３６３〜３６５に、木ねじを挿入して、入賞装置３６を遊技盤２にねじ止めする。
【００４２】
次に、図１４に示す入賞装置３５の取付基板３５１の縁部３５６を、入賞装置１６の取付基板１６１の段部１６８に係合させ、また、取付基板３５１の左端部背面に設けられている凹部３５７、３５８を、係合突起１６８の凸部１６８ａ、１６８ｂに各々嵌合させて、入賞装置１６と、入賞装置３５とを密着させる。その後、入賞装置３５のねじ孔３５３〜３５５に、木ねじを挿入して、入賞装置３５を遊技盤２にねじ止めする。すると、図１６に示すように、入賞装置１６は、遊技盤２の表面に、入賞装置３５及び入賞装置３６により、保持されて固定されることになる。
【００４３】
以上説明したように、第２の実施の形態のパチンコ機１では、入賞装置１６の取付基板１６１に、第１の実施の形態で設けられているねじ孔１６２，１６３，１６４，１６５が設けられていないが、入賞装置１６は、図１６に示すように、遊技盤２の表面に、入賞装置３５及び入賞装置３６により、保持されて確実に固定されることになる。従って、上記の第１の実施の形態の効果に加えて、入賞装置１６の遊技盤２へのねじ止めの工程が必要無くなり、入賞装置１６の取り付けの効率化を図ることができる。
【００４４】
尚、本発明は、パチンコ機に限られず、パチコン機等の遊技機に適用可能なことは言うまでもない。また、本発明は各種の変形が可能であることは言うまでもない。例えば、入賞装置３５及び入賞装置３６を、入賞口を設けずに、単に電飾ランプ等を設けた装飾部材としても良く、また、入賞装置３５及び入賞装置３６に電飾ランプ等内蔵させても良い。また、入賞装置３５及び入賞装置３６を先に遊技盤２に固定してから、入賞装置１６を固定できるように、入賞装置１６の取付基板１６１の左右端部が、各々入賞装置３５の左端部及び入賞装置３６の右端部の上に被さるようにしても良い。さらに、入賞装置１６は、開閉扉を有するもの以外に回転入賞口等の可動入賞口でも良い。また、入賞装置１６は、可動しないものでも良い。
【００４５】
【発明の効果】
以上説明したように、請求項１に係る発明の遊技機の入賞装置の取り付け方法では、遊技盤の表面に当接する取付基板と、当該取付基板の表面に設けた入賞開口と、他の装飾部材あるいは他の入賞装置の少なくとも一部と係合する係合部とを備えた入賞装置の後部を前記遊技盤の前記開口部に挿入し、前記入賞装置の後部が前記遊技盤の前記開口部に挿入された後に、前記入賞装置の前記係合部に前記他の装飾部材あるいは前記他の入賞装置の少なくとも一部を係合させ、前記他の装飾部材あるいは前記他の入賞装置のみを遊技盤にねじ止めし、前記遊技盤の表面に取り付けられた前記他の装飾部材あるいは前記他の入賞装置により前記入賞装置が保持されて、前記遊技盤の表面に固定できる。
【図面の簡単な説明】
【図１】図１はパチンコ機１の正面図である。
【図２】図２はパチンコ機１の遊技盤２の正面図である。
【図３】図３はパチンコ機１の遊技盤２の正面図である。
【図４】図４は、入賞装置１６と入賞装置３５と入賞装置３６とを一体に組み合わせた状態の正面図である。
【図５】図５は、入賞装置１６と入賞装置３５と入賞装置３６とを分離した状態を示す正面図である。
【図６】図６は、入賞装置１６と入賞装置３５と入賞装置３６とを分離した状態を示す正面図である。
【図７】図７は、入賞装置１６と入賞装置３５と入賞装置３６とを分離した状態を示す背面図である。
【図８】図８は、入賞装置１６と入賞装置３５と入賞装置３６とを一体に組み合わせた状態の背面図である。
【図９】図９は、アクチュエータの変形例を示す背面図である。
【図１０】図１０は、入賞装置１６の遊技盤２への取り付けを示した正面図である。
【図１１】図１１は、入賞装置３６の遊技盤２への取り付けを示した正面図である。
【図１２】図１２は、入賞装置３５の遊技盤２への取り付けを示した正面図である。
【図１３】図１３は、図４に示すＡ−Ａ’線における矢視方向の断面図である。
【図１４】図１４は、第２の実施の形態の入賞装置１６の正面図である。
【図１５】図１５は、第２の実施の形態の入賞装置１６を遊技盤２へ載置した状態を示す正面図である。
【図１６】図１６は、第２の実施の形態の入賞装置１６、入賞装置３５及び入賞装置３６を遊技盤２へ固定した状態を示す正面図である。
【符号の説明】
１    パチンコ機
２    遊技盤
３    ガイドレール
４    遊技領域
８    特別図柄表示装置
１６    入賞装置
３５    入賞装置
３６    入賞装置
３８    取付孔
１６０    開閉扉
１６１    取付基板
１６２〜１６５    ねじ孔
１６７    係合突起
１６７ａ，１６７ｂ  凸部
１６８    係合突起
１６８ａ，１６８ｂ  凸部
１６９    段部
１７０    段部
１７１  アクチュエータ
１８０  アクチュエータ
３５０    普通入賞口
３５１    取付基板
３５３〜３５５    ねじ孔
３５２    入賞球受
３５２ａ    遊技球通路
３５２ｂ    遊技球案内部材
３５３〜３５５  ねじ孔
３５６    縁部
３５７，３５８    凹部
３６０    普通入賞口
３６１    取付基板
３６３〜３６５    ねじ孔
３６２    入賞球受
３６２ａ    遊技球通路
３６２ｂ    遊技球案内部材
３６３〜３６５  ねじ孔
３６６    縁部
３６７，３６８    凹部
【図１】
0003578988.tif 000002
【図２】
0003578988.tif 000003
【図３】
0003578988.tif 000004
【図４】
0003578988.tif 000005
【図５】
0003578988.tif 000006
【図６】
0003578988.tif 000007
【図７】
0003578988.tif 000008
【図８】
0003578988.tif 000009
【図９】
0003578988.tif 000010
【図１０】
0003578988.tif 000011
【図１１】
0003578988.tif 000012
【図１２】
0003578988.tif 000013
【図１３】
0003578988.tif 000014
【図１４】
0003578988.tif 000015
【図１５】
0003578988.tif 000016
【図１６】
0003578988.tif 000017